(57)【要約】【課題】瞬断のおそれのない、照明点灯装置を提供する。【解決手段】時刻情報を含む電波を受信する受信部１または周囲の照度を計測する照度センサ部２と、照明機器の点灯指示を行う制御部４と、乱数を発生させる乱数発生部６と、照明機器１０に電源を供給する電源部８とを備えた照明点灯装置であって、制御部４は、受信部１で受信した時刻が所定の時刻となった場合または照度センサ部２で計測された周囲の照度が所定の照度となった場合に、乱数発生部６で発生させた乱数に基づく所定時間後に、電源部４に照明機器１０への電源供給指示を出す。【選択図】図１
2008226773.tif 000002
【特許請求の範囲】
【請求項１】
時刻情報を含む電波を受信する受信部と、
照明機器の点灯指示を行う制御部と、
乱数を発生させる乱数発生部と、
照明機器に電源を供給する電源部とを備えた照明点灯装置であって、
前記制御部は、前記受信部で受信した時刻が所定の時刻となった場合に、前記乱数発生部で発生させた乱数に基づく所定時間後に、前記電源部に照明機器への電源供給指示を出すことを特徴とする照明点灯装置。
【請求項２】
周囲の照度を計測する照度センサ部と、
照明機器の点灯指示を行う制御部と、
乱数を発生させる乱数発生部と、
照明機器に電源を供給する電源部とを備えた照明点灯装置であって、
前記制御部は、前記照度センサ部で計測した周囲の照度が所定の照度となった場合に、前記乱数発生部で発生させた乱数に基づく所定時間後に、前記電源部に照明機器への電源供給指示を出すことを特徴とする照明点灯装置。
【発明の詳細な説明】
【技術分野】
【０００１】
本発明は、主に街灯群の照明点灯装置に関するものであり、更に詳しくは、照明機器群の一斉点灯による同時大突入電流による瞬断を回避する照明点灯装置に関するものである。
【背景技術】
【０００２】
従来の光センサ型点灯装置を備えた照明機器では、光センサを用いて周囲の明るさを測定し、周囲の明るさが一定値以下になると点灯させていた。また、タイマ型点灯装置を備えた照明機器では、自己計時型のタイマにより点灯させていた。
【０００３】
従来から、省エネルギを実現する照明装置としては、特許文献１に示すように、周囲の明るさを検出して照度を略一定に保つように制御するもの、自然光を照明として利用するもの、タイムスケジュールによって照明時間を管理するものなどが知られている。照度を略一定に保つように制御するものは、光出力を必要以上に高めないことによって省エネルギを実現することができ、タイムスケジュールで管理するものは、照明が不要な時間帯には照明を消灯させておくことで省エネルギを実現していた。
【特許文献１】特開２００１−１４３８７６号公報
【発明の開示】
【発明が解決しようとする課題】
【０００４】
しかしながら、光センサ型点灯装置を備えた照明機器では、光センサの照度感度は人間の目が暗く感じる感度とは相違している為、明るい内から点灯する事例が多々見られた。これは、エネルギの節約の観点から座視しがたいことである。また、タイマ型照明点灯装置には季節毎の点灯時刻の設定には、その切換えに手間が掛かるという欠点と、計時の遅れや進みが蓄積し狂いが大きくなっていくという欠点があった。また、光センサ型およびタイマ型照明点灯装置では、照明機器群が一斉に点灯する為、同時大突入電流となり、瞬断の原因となっていた。
【０００５】
本発明は上記の問題点に鑑みてなされたものであり、その目的とするところは上記問題点を解消することである。
【課題を解決するための手段】
【０００６】
上記の課題を解決するため、本発明は以下のような特徴を有する。
［１］本発明に係る照明点灯装置は、時刻情報を含む電波を受信する受信部と、照明機器の点灯指示を行う制御部と、乱数を発生させる乱数発生部と、照明機器に電源を供給する電源部とを備えた照明点灯装置であって、前記制御部は、前記受信部で受信した時刻が所定の時刻となった場合に、前記乱数発生部で発生させた乱数に基づく所定時間後に、前記電源部に照明機器への電源供給指示を出すことを特徴とする。
［２］本発明に係る照明点灯装置は、周囲の照度を計測する照度センサ部と、照明機器の点灯指示を行う制御部と、乱数を発生させる乱数発生部と、照明機器に電源を供給する電源部とを備えた照明点灯装置であって、前記制御部は、前記照度センサ部で計測された周囲の照度が所定の照度となった場合に、前記乱数発生部で発生させた乱数に基づく所定時間後に、前記電源部に照明機器への電源供給指示を出すことを特徴とする。
【発明の効果】
【０００７】
本発明によれば、乱数発生部と制御部により全照明機器の同時一斉点灯を避けているので、一斉点灯による同時大突入電流に起因する瞬断を回避できる。また、照明機器群の点灯および消灯を安定かつ正確なものにすることができ、季節ごとの点灯および消灯の時刻設定切り替えの手間を省くことができる。
【発明を実施するための最良の形態】
【０００８】
本発明の実施形態の一例として、照明点灯装置を図面に基づいて説明する。
【０００９】
図１に示すように、本発明に係る照明点灯装置は、時刻情報（月日時分秒）を含む電波を受信する受信部１または周囲の照度を計測する照度センサ部２と、照明機器の点灯指示を行う制御部４と、乱数を発生させる乱数発生部６と、照明機器１０に電源を供給する電源部８とを有する。
【００１０】
ここで、前記制御部４は、前記受信部１で受信した時刻が所定の時刻となった場合に、または、前記照度センサ部２で計測した周囲の照度が所定の照度以下となった場合に、前記乱数発生部６を起動し、乱数発生部６で乱数を発生させる。そして、乱数発生部６で発生させた乱数の出力値に基づく所定時間後に、前記電源部８に対して照明機器１０への電源供給指示を出し、前記照明機器１０を点灯させる。なお、前記照明機器１０への電源供給指示、つまり点灯指示は、個々の照明機器毎に行ってもよいが、例えば、照明機器を、設置場所等により、いくつかの照明機器群に分けて、その照明機器群毎に点灯指示を出すようにしてもよい。これにより、従来の点灯装置を備えた照明機器において問題となっていた一斉同時点灯による瞬断を回避できる。
【００１１】
ある時刻の明るさは、その場所・季節（日付）により決まっており、何時に街灯を点灯させれば良いかは習慣的に明らかになっている。例えば、ある特定の場所では、夏は１８時００分、冬は１６時３０分に点灯すれば良いとする。標準電波送信所から送信される標準電波である、時刻情報を含む電波には、月日時分秒のデータが含まれ、それを受信することで月日まで分かる。そのため、その日その日の照明機器を点灯すべき時刻を正確に制御部４で把握することが出来る。
【００１２】
照明機器を点灯させる際、ある特定の場所では、夏は１８時００分をある時点（所定の時刻）として、個々の照明機器群は乱数発生器６で発生させた乱数の出力値に基づく所定の時間後、例えば、ある照明機器群は１８時００分０１．５０秒に点灯、また別の照明機器群は１８時００分０２．００秒に点灯させる。
【００１３】
例えば、本発明に係る照明点灯装置の工場出荷時に、何通りかの地域設定の選択スイッチ等を設ける事により、設置現場でその土地に合わせた点灯時刻の設定が容易となる。
【００１４】
また、照度センサ部２で計測した照度により照明機器群を点灯する場合も、照度センサ部２の照度が点灯すべき値（所定の照度）になった時点をある時点として個々の照明機器群を乱数発生器６で発生させた乱数の出力値に基づく所定の時間後に点灯させる。
【００１５】
以上、本発明の瞬断を回避する照明点灯装置について詳細に説明したが、本発明は上記実施形態に限定されず、本発明の趣旨を逸脱しない範囲において、種々の改良や変更をしてもよいのはもちろんである。
【図面の簡単な説明】
【００１６】
【図１】本発明の照明点灯装置に係る実施の一形態を示すブロック図である。
【符号の説明】
【００１７】
１    受信部
２    照度センサ部
４    制御部
６    乱数発生部
８    電源部
１０  照明機器
【図１】
2008226773.tif 000003